(57)【要約】【課題】  ガラス管径を小さくしても発光効率および全光束の低下を抑制することができる直管形蛍光ランプを提供する。【解決手段】  直管形蛍光ランプ１１は、フィラメント８を有する電極ａ、フィラメント８’を有する電極ｂと口金４，４’とをガラス管（発光管）１の両端部にそれぞれ備え、発光管１内に封入される緩衝ガスはＫｒを主成分とし、ＮｅおよびＡｒのうちの少なくとも一方をＫｒ以外の成分として含み、且つ、発光管１の外径寸法は１４．０ｍｍ以上１７．０ｍｍ以下であり、ランプ点灯中の管壁負荷が６５０Ｗ／ｍ２以上１０００Ｗ／ｍ２以下である。【選択図】  図１
2010186604.tif 000002
【特許請求の範囲】
【請求項１】
フィラメントを有する電極と口金とをガラス管両端部にそれぞれ備えた直管形蛍光ランプであって、前記ガラス管内に封入される緩衝ガスがＫｒを主成分とし、ＮｅおよびＡｒのうちの少なくとも一方をＫｒ以外の成分として含み、且つ、前記ガラス管の外径寸法が１４．０ｍｍ以上１７．０ｍｍ以下であり、ランプ点灯中の管壁負荷が６５０Ｗ／ｍ２以上１０００Ｗ／ｍ２以下であることを特徴とする直管形蛍光ランプ。
【請求項２】
前記電極の口金端部からフィラメントまでの距離が、一方の電極では３５ｍｍ以上、他方の電極では３０ｍｍ以下であることを特徴とする請求項１記載の直管形蛍光ランプ。
【請求項３】
前記電極のフィラメントよりも口金側であって前記ガラス管の長手方向と交差する面にセラミック板を備えたことを特徴とする請求項１または２記載の直管形蛍光ランプ。
【請求項４】
前記ガラス管内面に設けられた蛍光体層と前記ガラス管内表面との間に金属酸化物で形成した保護膜を備えたことを特徴とする請求項１〜３のいずれかに記載の直管形蛍光ランプ。
【請求項５】
前記金属酸化物が、紫外線を遮断する酸化チタン、酸化セリウムおよび酸化亜鉛のうちの少なくとも１つを含むことを特徴とする請求項４記載の直管形蛍光ランプ。
【請求項６】
請求項１〜５のいずれかに記載の直管形蛍光ランプと、前記直管形蛍光ランプを点灯させるための点灯装置とを備えたことを特徴とする照明器具。
【請求項７】
前記点灯装置が、前記直管形蛍光ランプを１０ｋＨｚ以上の高周波で点灯させることを特徴とする請求項６記載の照明器具。
【発明の詳細な説明】
【技術分野】
【０００１】
本発明は一般照明用として使用される直管形蛍光ランプに関するものである。
【背景技術】
【０００２】
蛍光ランプは白熱電球と比較して、発光効率が良いため、施設照明や家庭用照明として広く普及している。近年では地球環境に配慮するために、蛍光ランプにおいては省エネルギーの面で発光効率の改善を目的とした、高周波点灯専用蛍光ランプの比率が年々増加してきている。また、高周波点灯専用蛍光ランプは省エネルギーだけではなく、従来の蛍光ランプよりもガラス管径の小さいガラス管を用いており、省資源の面からも注目を浴びている。
【０００３】
蛍光ランプは、放電によりランプ内に封入された微量の水銀から放射される紫外線が、蛍光ランプガラス管内面にコーティングされた蛍光体に照射されることにより可視光に変換されるのが発光原理であるが、蛍光ランプの発光効率は幾つかの因子に影響される。一般的に蛍光ランプは放電長が長くなるに従い、電極部のロスがランプ全体に与える影響が小さくなるため、発光効率は向上していく。また、蛍光ランプに封入された水銀は蛍光ランプ内では液体状態で存在するものと蒸気で存在するものがあり、発光に寄与する形態は蒸気で存在するものであるが、蛍光ランプの表面温度が高くなるに従い、水銀蒸気圧は上昇し、最適な発光効率は水銀の蒸気圧が約０．８Ｐａといわれている。その状態は、蛍光ランプの最冷点温度が約４０℃の時に相当する。最冷点温度を最適に制御する手法とし、ランプに投入する電力の大きさ、ランプ全長およびガラス管径等の基本構造、積極的に最冷点を形成するための電極構造、封入水銀のアマルガム化などがある。例えば特許文献１には、水銀を封入したバルブの両端部で相互に電極高さを異ならせた低圧水銀蒸気放電灯が提案されている。
【先行技術文献】
【特許文献】
【０００４】
【特許文献１】特開平６−２６７５０１号公報
【発明の概要】
【発明が解決しようとする課題】
【０００５】
蛍光ランプは白熱電球と比較して環境に配慮した照明であるが、地球資源の観点から、更なる省資源化が今後必要であり、直管形蛍光ランプで現在主流となっている管径２５．５ｍｍ、全長１１９８ｍｍの高周波点灯専用形蛍光ランプ（ＦＨＦ３２）と同じ効率で、使用材料を低減することができれば、資源を節約できる有効な光源となる。しかしながら、資源を節約するためにガラス管径を小さくすると、ガラス管径が細くなった分、ガラス表面温度が上昇し、最適な水銀蒸気圧を確保できなくなる。また、最適な水銀蒸気圧を確保するために、投入電力を低下することで、ガラス管表面温度は低下し、発光効率は改善することができるが、光束が低下し、必要な明るさを得るためにはランプの点灯数を増加させる必要がある。
【０００６】
本発明の目的は、ガラス管径を小さくしても発光効率および全光束の低下を抑制することができる直管形蛍光ランプを提供するものである。
【課題を解決するための手段】
【０００７】
発明者らはガラス管径を小さくすることでガラス管表面温度が上昇し、発光効率が低下することを防止するために、熱伝導率の低い封入ガス組成の選定および最適な水銀蒸気圧に制御できる電極構造を検討することで、器具に装着した状態で、最高の発光効率が得られることを見いだした。また、発光効率だけではなく、全光束の低下を少なくするため、ガラス管内面にコーティングした蛍光体にかかる最適な負荷となるガラス管径を選定することにより、高効率、高出力の蛍光ランプを提供することができ、省資源化が達成できることを見いだした。
【０００８】
すなわち、本発明に係る直管形蛍光ランプは次のようなものである。
（１）フィラメントを有する電極と口金とをガラス管両端部にそれぞれ備えた直管形蛍光ランプであって、前記ガラス管内に封入される緩衝ガスがＫｒを主成分とし、ＮｅおよびＡｒのうちの少なくとも一方をＫｒ以外の成分として含み、且つ、前記ガラス管の外径寸法が１４．０ｍｍ以上１７．０ｍｍ以下であり、ランプ点灯中の管壁負荷が６５０Ｗ／ｍ２以上１０００Ｗ／ｍ２以下であることを特徴とする直管形蛍光ランプ。
（２）前記電極の口金端部からフィラメントまでの距離が、一方の電極では３５ｍｍ以上、他方の電極では３０ｍｍ以下であることを特徴とする上記（１）記載の直管形蛍光ランプ。
（３）前記電極のフィラメントよりも口金側であって前記ガラス管の長手方向と交差する面にセラミック板を備えたことを特徴とする上記（１）または（２）記載の直管形蛍光ランプ。
（４）前記ガラス管内面に設けられた蛍光体層と前記ガラス管内表面との間に金属酸化物で形成した保護膜を備えたことを特徴とする上記（１）〜（３）のいずれかに記載の直管形蛍光ランプ。
（５）前記金属酸化物が、紫外線を遮断する酸化チタン、酸化セリウムおよび酸化亜鉛のうちの少なくとも１つを含むことを特徴とする上記（４）記載の直管形蛍光ランプ。
【０００９】
また、本発明に係る照明器具は次のようなものである。
（６）上記（１）〜（５）のいずれかに記載の直管形蛍光ランプと、前記直管形蛍光ランプを点灯させるための点灯装置とを備えたことを特徴とする照明器具。
（７）前記点灯装置が、前記直管形蛍光ランプを１０ｋＨｚ以上の高周波で点灯させることを特徴とする上記（６）記載の照明器具。
【発明の効果】
【００１０】
本発明によれば、ガラス管径を小さくしても発光効率および全光束の低下を抑制することができる直管形蛍光ランプを得ることができる。これにより本発明では、蛍光ランプの省資源化およびランプを装着する蛍光灯器具の省資源化を達成することができる。
【図面の簡単な説明】
【００１１】
【図１】本発明に係る直管形蛍光ランプの一実施例を示す全体図である。
【図２】（ａ）、（ｂ）は、図１の直管形蛍光ランプの両端部の電極および口金の部分をそれぞれ示す図である。
【図３】本発明の実施例１の管壁負荷と発光効率の関係の一例を示すグラフである。
【図４】本発明の実施例１および比較例１の管壁負荷とガラス管温度の関係の一例を示すグラフである。
【図５】本発明の実施例１の周囲温度と相対効率の関係の一例を示すグラフである。
【図６】比較例１の周囲温度と相対効率の関係の一例を示すグラフである。
【図７】本発明に係る直管形蛍光ランプを装着した照明器具の一例を示す図である。
【発明を実施するための形態】
【００１２】
図１は、本発明に係る直管形蛍光ランプの一実施例を示す全体図である。図２（ａ）、（ｂ）は、図１の直管形蛍光ランプの両端部の電極および口金の部分をそれぞれ示す図である。直管形蛍光ランプ１１において、発光管（ガラス管）１の内面表面には保護膜２が形成されており、保護膜２の上に蛍光体層３が形成されている。発光管１の両端には口金４，４’がそれぞれ接着されている。電極ａは、ステムガラス５、排気管６、リード線７、フィラメント８、およびセラミック板９を備える。電極ｂは、ステムガラス５’、リード線７’、フィラメント８’、およびセラミック板９’を備える。また電極ｂには発光源である水銀を一定量含ませた水銀ディスペンサ１０が具備されている。電極ａと電極ｂではステムガラスの高さが異なっているため、蛍光ランプ口金端部からフィラメントまでの距離が両者異なっている。本実施例では蛍光ランプ端部からフィラメントまでの距離を異ならせるための手法として、ステムガラスの高さを変更しているが、ステムガラスの高さを変えずに、例えばリード線の長さを調整することで、フィラメントまでの距離を異ならせても良い。
【００１３】
このように、直管形蛍光ランプ１１は、フィラメント８を有する電極ａ、フィラメント８’を有する電極ｂと口金４，４’とをガラス管（発光管）１の両端部にそれぞれ備える。そして、発光管１内に封入される緩衝ガスはＫｒを主成分とし、ＮｅおよびＡｒのうちの少なくとも一方をＫｒ以外の成分として含む。緩衝ガスとしてＫｒを主成分とする理由は、熱伝導率の低いＫｒを混合して同じ管壁負荷でも最冷点温度を低下させるためである。ＮｅおよびＡｒのうちの少なくとも一方をＫｒ以外の成分として含ませる理由は、Ｋｒの比率が高くなるに従い、ランプを点灯させる時に必要な始動電圧が高くなっていくことと、周囲温度が低い環境で充分な明るさが得られなくなるなど、実使用には耐えられない性能になるため、これらを解決するためにはＮｅ或いはＡｒを混合した混合ガスとすることが必要であるからである。また、発光管１の外径寸法は１４．０ｍｍ以上１７．０ｍｍ以下である。外径寸法が１４．０ｍｍ未満であると管径が小さすぎて発光効率の低下の抑制が困難であることと全光束を得るための蛍光体からの発光面積が小さくなり、必要な全光束が得られなくなってしまう。また、外径寸法が１７．０ｍｍを超えるとガラスを含む種々の材料の使用量低減が十分でなく、蛍光ランプの省資源化およびランプを装着する蛍光灯器具の省資源化への貢献度が小さくなってしまう。
【００１４】
さらに、ランプ点灯中の管壁負荷は６５０Ｗ／ｍ２以上１０００Ｗ／ｍ２以下ある。これは、ランプ全長が１１９８ｍｍのとき、管壁負荷が６５０Ｗ／ｍ２ではランプ電力３２Ｗに相当し、９００Ｗ／ｍ２ではランプ電力４５Ｗに相当するので、実用上のランプ電力を勘案して管壁負荷が６５０Ｗ／ｍ２以上１０００Ｗ／ｍ２以下であるようにしたものである。また、電極ａ、ｂの口金４，４’端部からフィラメント８，８’までの距離は、好適には、電極ａでは３５ｍｍ以上、電極ｂでは３０ｍｍ以下である。これは、最冷点の温度を所望の値まで低下させることを考慮して定めた範囲である。加えて、電極ａ、ｂのフィラメント８，８’よりも口金４，４’側であって発光管１の長手方向と交差する面にセラミック板９，９’を備える。セラミック板は点灯中の熱源となるフィラメントと最冷点の間に位置していることから、最冷点への直射熱を遮断する効果がある。発光管１内面に設けられた蛍光体層３と発光管１内表面との間には、金属酸化物で形成した保護膜２を備える。この金属酸化物は、好適には、紫外線を遮断する酸化チタン、酸化セリウムおよび酸化亜鉛のうちの少なくとも１つを含む。
【００１５】
図１に示した構造の蛍光ランプは以下の方法により製作した。ガラス管（発光管）は外径寸法が１５．５ｍｍ、全長１１９４ｍｍの直管ガラス管を用いた。初めに、直管ガラス管の内面を洗浄し、乾燥させた後、公知の方法にて、酸化アルミナを主成分とする保護膜、蛍光体を塗布乾燥させる。その後、保護膜、蛍光体層に含まれているバインダを公知の方法にて焼成する。焼成したガラス管の端部に付着している蛍光体を公知の方法にて拭き取りガラス管両端に電極を封止する。封止する寸法は口金を接着した後の全長寸法が１１９８ｍｍとなるような寸法で封止した。封止する電極は図２（ａ）、（ｂ）に示した、ステムガラスの高さが異なるものを用いる。口金端部からフィラメントまでの距離として、例えば電極ａは４０ｍｍ、電極ｂは２４ｍｍが望ましい。これらの電極は公知の方法により作成する。電極を封止した後、公知の方法にて、電極の活性化、ガラス管内を排気し、Ｋｒ６６％−Ｎｅ３４％で構成する緩衝ガスを２６７Ｐａ封入、封止し、水銀ディスペンサにコーティングしている水銀を公知の方法にて、過熱放出させる。その後、口金を接着し蛍光ランプを作成する。
【００１６】
完成した蛍光ランプは点灯用電源として、高周波電源等の装置を用い、安定器として無誘導抵抗器を用いることにより点灯可能である。管壁負荷の調整はランプ電流を調整することで可能であり、抵抗値を変化させて或いは入力電圧を変化させて行う。図７は、本発明に係る直管形蛍光ランプを装着した照明器具の一例を示す図である。照明器具１０は、下面開放型直付箱型器具の例であり、複数の直管形蛍光ランプ１１と、直管形蛍光ランプ１１を点灯させるための点灯装置１２とを備える。直管形蛍光ランプ１１は器具本体１３に装着される。点灯装置１２は器具本体１３に取り付けられており、直管形蛍光ランプ１１を好適には１０ｋＨｚ以上の高周波で点灯させるものである。点灯周波数を１０ｋＨｚ以上とする理由は、点灯周波数を高周波にすることにより電極での損失が低減し、発光効率が向上するからである。
【００１７】
本ランプを実施例１として高周波電源にて点灯し、周囲温度２５℃での管壁負荷（Ｗ／ｍ２）とランプ発光効率（ｌｍ／Ｗ）の関係を測定した結果を図３に示す。管壁負荷が６５０Ｗ／ｍ２の時、ランプ電力は３２．４Ｗであり、その時の全光束は３２４３ｌｍであった。更に管壁負荷を増大させ、９００Ｗ／ｍ２とした時にはランプ電力は４５．３Ｗとなり、全光束４４８８ｌｍが得られた。管壁負荷の変化に対し、ランプ発光効率はほぼ横ばいで大きな変動はない。このことは、ランプ電力が増加するのに比例して、全光束がほぼ同じ割合で増加していることを示している。また、周囲温度２５℃での管壁負荷と最冷点温度（ガラス管温度）の関係を図４に示す。実施例１における最冷点は、図２（ａ）の電極ａにおける口金４に隣接する発光管（ガラス管）１の部分にある。最冷点温度は管壁負荷の増加に伴い上昇している。比較例１は、実施例１のランプと緩衝ガス組成のみ異なるもので、緩衝ガスとしてＡｒ１００％の組成を用いている。実施例１のランプを、緩衝ガス組成をＡｒ１００％とした比較例１のランプにおける最冷点温度と比較してみると、実施例１のランプの方が比較例１のランプに比べ約４℃低下していることがわかった。これは緩衝ガスとして熱伝導率が低いＫｒを含む混合ガスを用いた効果であり、熱伝導率の低いＫｒを混合したことにより、同じ管壁負荷でも最冷点温度が低下したと考える。また、異なる電極高さにする効果として、電極高さが低い側のガラス管温度は最冷点温度と比較して、１１．４℃も高くなることがわかった。従って、最冷点の温度を低下させるためには、緩衝ガス組成として、Ｋｒを主成分とする混合ガスを使用することと異なる電極高さにすることが有効であることが確認できた。
【００１８】
また、実施例１のランプで周囲温度を変化させた時の発光効率を図５に示す。比較例１のランプの周囲温度特性を図６に示す。発光効率（相対効率）のピーク温度は、それぞれ４０℃と３５℃となっており、緩衝ガス組成による最冷点温度が約４℃低下したのに相当するピーク温度のシフトが確認できた。実施例１のランプの方は、発光効率がピークとなる周囲温度（４０℃）で、１０８ｌｍ／Ｗの効率となり、４９３７ｌｍの全光束が得られる。
【００１９】
以上のように、ガラス管径を小さくすることで、発光効率を低下させずに省資源化を図るためには、ガラス管径が小さくなることによる、最冷点温度の上昇を抑える必要があり、解決方法として、緩衝ガス組成としてＫｒを含む混合ガスを用い、異なる高さの電極を用いることが有効であることがわかった。更に管壁負荷が６５０Ｗ／ｍ２はランプ電力３２Ｗに相当し、９００Ｗ／ｍ２は４５Ｗに相当する。管壁負荷が９００Ｗ／ｍ２で周囲温度４０℃の時の明るさは約４９５０ｌｍとなり、ＦＨＦ３２の高出力点灯時の明るさとほぼ同等となる。
【００２０】
周囲温度４０℃の状態は図７に示したような下面開放の箱型状照明器具でランプを点灯した場合のランプの周囲温度に相当する。従って、実施例１のランプは器具に装着したときに最適な効率を引き出すことができる。
【産業上の利用可能性】
【００２１】
全光束および発光効率を低下させずに蛍光ランプの仕様材料を低減できることから、現在使用しているＦＨＦ３２と比較すると廃棄物の量を格段に低減することができる。また、ランプ材料だけではなく、照明器具の省資源化も実現できるため、環境に配慮した製品として、提供することが可能となる。
【符号の説明】
【００２２】
１  発光管
２  保護膜
３  蛍光体層
４  口金
５  ステムガラス
６  排気管
７  リード線
８  フィラメント
９  セラミック板
１０  水銀ディスペンサ
【図１】
2010186604.tif 000003
【図２】
2010186604.tif 000004
【図３】
2010186604.tif 000005
【図４】
2010186604.tif 000006
【図５】
2010186604.tif 000007
【図６】
2010186604.tif 000008
【図７】
2010186604.tif 000009